(57)【要約】      （修正有）【課題】二輪車のハンドルへの装着が容易で、遠方からも目視が容易であり、不要時には折り畳んで小さく格納することができる二輪車用警告標識を提供する。【解決手段】す二輪車用警告標識１１は、光反射機能を有するシート材料で形成され、空気の充填により膨張可能とした警告標識本体１２と、該警告標識本体１２の下部に一端を取り付けられた可撓性のある連結アーム１３と、該連結アーム１３の他端に取り付けられ、二輪車のハンドル２１に装着可能な保持部材１４とを備え、緊急時に警告標識本体１２に空気を充填し、保持部材１４を用いて二輪車のハンドル２１に装着して警告可能としたことを特徴とするものである。【選択図】図１
0003212773.tif 000002
【実用新案登録請求の範囲】
【請求項１】
光反射機能を有するシート材料で形成され、空気の充填により膨張可能とした警告標識本体と、該警告標識本体の下部に一端を取り付けられた可撓性のある連結アームと、該連結アームの他端に取り付けられ、二輪車のハンドルに装着可能な保持部材とを備え、緊急時に前記警告標識本体に空気を充填し、前記保持部材を用いて二輪車のハンドルに装着して警告可能としたことを特徴とする二輪車用警告標識。
【請求項２】
前記警告標識本体は、その表面に再帰反射性素材や金属蒸着膜を備えた光反射機能を有するシート材料で形成されていることを特徴とする請求項１に記載の二輪車用警告標識。
【請求項３】
前記二輪車のハンドルに装着可能な保持部材は、二輪車のハンドルの外周に沿ってはめ込み可能なブラケットと、該ブラケットを二輪車のハンドルに取り付けた状態でその外周に巻き付ける面ファスナを備えた巻付けベルトとを備えていることを特徴とする請求項１または２に記載の二輪車用警告標識。
【考案の詳細な説明】
【技術分野】
【０００１】
本考案は、二輪車のハンドルへの装着が容易な二輪車用警告標識に関するものである。
【背景技術】
【０００２】
従来、自家用車等においては緊急時用の組立可能な三角標識は周知であったが、二輪車においては緊急時用の警告標識はせいぜい自家用車用の三角標識を転用するか、たとえば米国特許第５３４９９２０号明細書に記載された、二輪車用のハンドルの末端に抜け止め用のピンで取り付ける反射マーカーが知られている程度であった。
【先行技術文献】
【特許文献】
【０００３】
【特許文献１】米国特許第５３４９９２０号明細書
【考案の概要】
【考案が解決しようとする課題】
【０００４】
この考案は、二輪車のハンドルへの装着が容易で、遠方からも目視が容易であり、不要時には折り畳んで小さく格納することができる二輪車用警告標識を提供することを目的とするものである。
【課題を解決するための手段】
【０００５】
すなわちこの考案の二輪車用警告標識は、光反射機能を有するシート材料で形成され、空気の充填により膨張可能とした警告標識本体と、該警告標識本体の下部に一端を取り付けられた可撓性のある連結アームと、該連結アームの他端に取り付けられ、二輪車のハンドルに装着可能な保持部材とを備え、緊急時に前記警告標識本体に空気を充填し、前記保持部材を用いて二輪車のハンドルに装着して警告可能としたことを特徴とするものである。
【０００６】
この考案の二輪車用警告標識において、前記警告標識本体は、その表面に再帰反射性素材や金属蒸着膜を備えた光反射機能を有するシート材料で形成されていることをも特徴とするものである。
【０００７】
この考案の二輪車用警告標識において、前記二輪車のハンドルに装着可能な保持部材は、二輪車のハンドルの外周に沿ってはめ込み可能なブラケットと、該ブラケットを二輪車のハンドルに取り付けた状態でその外周に巻き付ける面ファスナを備えた巻付けベルトとを備えていることをも特徴とするものである。
【考案の効果】
【０００８】
この考案によれば、約２００ｍの距離をおいても目視することが可能な警告標識本体を備えており、また二輪車のハンドルへの装着時に連結アームによって警告標識本体は適宜角度に調整することができ、またワンタッチで二輪車のハンドルに装着できる非常に便利な二輪車用警告標識を提供することが可能である。
【０００９】
またこの考案によれば、前記警告標識本体は表面に再帰反射性素材や金属蒸着膜を備えた光反射機能を有するシート材料で形成されており、約２００ｍの距離をおいても目視することが可能な二輪車用警告標識を提供することが可能である。
【００１０】
この考案によれば、前記二輪車のハンドルに装着可能な保持部材は、二輪車のハンドルの外周に沿ってはめ込み可能なブラケットと、該ブラケットを二輪車のハンドルに取り付けた状態でその外周に巻き付ける面ファスナを備えた巻付けベルトとを備えており、二輪車のハンドルに簡単に装着可能な二輪車用警告標識を提供することができる。
【図面の簡単な説明】
【００１１】
【図１】この考案の二輪車用警告標識の実施の形態を示し、二輪車のハンドルへの装着前の状態を示す概略正面図である。
【図２】その概略背面図である。
【図３】その概略左側面図である。
【図４】その概略斜視図である。
【図５】ハンドルにブラケットの片側をはめ込んだ状態の概略左側面図である。
【図６】ハンドルにブラケット全体をはめ込んだ状態の概略正面図である。
【図７】その概略背面図である。
【図８】その概略左側面図である。
【図９】その概略斜視図である。
【図１０】ハンドルにブラケット全体をはめ込み、巻付けベルトを装着した状態の概略正面図である。
【図１１】その概略左側面図である。
【図１２】その概略斜視図である。
【図１３】その概略断面図である。
【図１４】その中央切断概略斜視断面図である。
【図１５】警告標識本体の空気を充填した状態の中央概略断面図である。
【図１６】その中央切断概略斜視断面図である。
【考案を実施するための形態】
【００１２】
以下この考案の二輪車用警告標識の実施の形態を図面に基いて詳細に説明する。
二輪車のハンドルへの装着前の状態を示す図１〜図４のように、この考案の二輪車用警告標識１１は、光反射機能を有するシート材料で形成され、空気の充填により膨張可能とした警告標識本体１２と、該警告標識本体１２の下部に一端を取り付けられた可撓性のある連結アーム１３と、該連結アーム１３の他端に取り付けられ、二輪車のハンドル２１に装着可能な保持部材１４とを備えるものである。
その上で、緊急時には前記警告標識本体１２に空気を充填し、前記保持部材１４を用いて二輪車のハンドル２１に瞬時に装着して警告可能としたものである。
【００１３】
したがって、約２００ｍの距離をおいても目視することが可能な警告標識本体１２を備えていて、しかも二輪車のハンドル２１への装着時に、可撓性のある連結アーム１３によって警告標識本体１２は適宜角度に調整することができる。
また前記保持部材１４によって、ワンタッチで二輪車のハンドル２１に装着できる非常に便利な二輪車用警告標識１１を提供することが可能である。
【００１４】
この考案の二輪車用警告標識１１における前記警告標識本体１２は、その表面に再帰反射性素材や金属蒸着膜を備えた光反射機能を有するシート材料で形成されている。したがって、安価でかつ遠方からの視認が極めて容易な二輪車用警告標識１１を提供することが可能である。
また前記警告標識本体１２の下部における可撓性のある連結アーム１３との連結は、前記警告標識本体１２を構成するシート材料の端部に筒状の連結部１２ａを形成しておき、これを連結アーム１３に接着あるいは融着することによって難なく行うことができる。
【００１５】
この考案の二輪車用警告標識１１における前記二輪車のハンドルに装着可能な保持部材１４は、図１ないし図４に示すように、二輪車のハンドル２１の外周に沿ってはめ込み可能なブラケット２２と、該ブラケット２２を二輪車のハンドル２１に取り付けた状態において、その外周に巻き付ける面ファスナ２４を備えた巻付けベルト２３とを備えている。なお、前記ブラケット２２は半割りのブラケット片２２ａおよびブラケット片２２ｂをプラスチックヒンジ２２ｃで連結した構造である。
【００１６】
次に、この考案の二輪車用警告標識１１における前記二輪車のハンドルに装着可能な保持部材１４の作用について説明する。
まず、図１ないし図４の状態から、図５に示すように、二輪車のハンドル２１の外周に沿って上部のブラケット片２２ａをはめ込む。
その上で図６ないし図９に示すように、一対のブラケット片２２ａおよびブラケット片２２ｂを筒状にして前記二輪車のハンドル２１に取り付ける。
最後に、図１０ないし図１４に示すように、筒状となった前記一対のブラケット片２２ａおよびブラケット片２２ｂの外周に巻付けベルト２３を巻き付けて面ファスナ２４で緊締することにより、この考案の二輪車用警告標識１１は前記二輪車のハンドル２１に簡単に装着することができる。
【００１７】
この考案の二輪車用警告標識１１の使用に際しては、図１５および図１６に示すように、前記警告標識本体１２の適所に設けた空気注入口１５から空気を充填すればよい。もちろん、空気注入口１５からポンプ等で空気を充填することもできる。
このように前記警告標識本体１２内に空気を充填すれば、前記二輪車のハンドル２１上に取り付けた前記警告標識本体１２は高い剛性で保持され、多少の風では変形したり、折れたりすることはなく、警告標識としての機能を十分に全うさせることができる。
【産業上の利用可能性】
【００１８】
図面においてはこの考案を二輪車用警告標識に適用した場合について説明したが、もちろんその他の用途にも適用することができ、また基本的な要旨を変更しない限り、三角以外の形態等への変更できることは言うまでもない。
【符号の説明】
【００１９】
１１  二輪車用警告標識
１２  警告標識本体
１２ａ  筒状の連結部
１３  連結アーム
１４  保持部材
１５  空気注入口
２１  二輪車のハンドル
２２  ブラケット
２２ａ  半割りのブラケット片
２２ｂ  半割りのブラケット片
２２ｃ  プラスチックヒンジ
２３  巻付けベルト
２４  面ファスナ
【図１】
0003212773.tif 000003
【図２】
0003212773.tif 000004
【図３】
0003212773.tif 000005
【図４】
0003212773.tif 000006
【図５】
0003212773.tif 000007
【図６】
0003212773.tif 000008
【図７】
0003212773.tif 000009
【図８】
0003212773.tif 000010
【図９】
0003212773.tif 000011
【図１０】
0003212773.tif 000012
【図１１】
0003212773.tif 000013
【図１２】
0003212773.tif 000014
【図１３】
0003212773.tif 000015
【図１４】
0003212773.tif 000016
【図１５】
0003212773.tif 000017
【図１６】
0003212773.tif 000018